(57)【要約】【課題】メモリアルプレート本体に遺骨を埋め込む事を可能とする。【解決手段】メモリアルプレート本体に穿孔を施工し、その穿孔と同形態の、ガラス、透明樹脂などでできた透明体の中に遺骨（遺灰）、遺髪、爪、歯などを封入し、その透明体をメモリアルプレート本体に埋設することにより、メモリアルプレート本体と一体化したものとする。また、透明体の中に遺骨があることを確認したのちは蓋をすることにより、隠蔽できるものとする。【選択図】図１
2019094623.tif 000002
【特許請求の範囲】
【請求項１】
御影石などの天然石または人造石、金属、陶器、ガラス、樹脂などを切削加工し、いろいろな形状のプレートとしたメモリアルプレートに、遺骨（遺灰）、遺髪、爪、歯などを封じ込めた透明体を埋め込んだ、遺骨内包型メモリアルプレート本体。
【請求項２】
遺骨（遺灰）または、遺髪、爪、歯などを封じ込めた、円筒形や方形などのいろいろな形状のガラスまたは透明樹脂で出来た透明体。
【請求項３】
請求項１の本体に、請求項２の透明体を埋め込むために施工した請求項２の透明体と同形状の穿孔。
【請求項４】
請求項１の本体前面（前面とは普段人が目にする主たる面）に彫刻、エッチング（エッチングとは酸または砂を吹き付けることにより、凹凸をつけること）または印刷（印刷とはインクまたは、顔料を焼き付ける事を含む）された碑文などの文字や写真。
【請求項５】
請求項２の穿孔を不可視にするすることができる蓋。 
【発明の詳細な説明】
【技術分野】
【０００１】
本発明は、その内部に遺骨（遺灰）または遺髪、爪、歯などを内包するメモリアルプレートの製造方法に関する。
【背景技術】
【０００２】
自然石または金属のインゴット、陶器やガラスなどを切削して墓石を製造する技術は確立されている。またこの技術を応用して、花入れなどの副葬品や、転じて動物や乗り物などを模して、工芸品を製造する技術も確立されている。この技術を用いて小型の墓石（メモリアルプレート）も製造販売されている。
【先行技術文献】
【非特許文献】
【０００３】
【非特許文献１】株式会社ＴＡＫＡＯ、キャラクターストーンシリーズ、［平成２９年１１月１０日検索］、インターネット＜URL:http://www.stone-char.jp/＞
【０００４】
【非特許文献２】株式会社オクノ、Ｐｅｔｃｏｔｉシリーズ、［平成２９年１１月１０日検索］、インターネット＜URL:http://www.petcoti.com/＞
【発明の概要】
【発明が解決しようとする課題】
【０００５】
ライフスタイルの変化により、埋葬の仕方も、土葬から火葬へと変化し、遺骨の処理も樹木葬や散骨など多様な変化を見せている。それに従い、亡くなったペットや亡くなった人の供養のため供される、墓地や納骨堂、および仏壇や祭壇、位牌の意味や価値に変化が生じ、必ずしも、必要と無くなって来ている現状がある。そのようなライフスタイルの変化に応じた、あたらしい供養の仕方が提供されることがもとめられている。
一方、散骨などの遺骨紛失などにより、近年正確度を高めているＤＮＡ情報の確保が困難になるという側面からも、半永久的にＤＮＡを保存できる方策が今後求められるのではないだろうか。その面から、遺物の保存は重要度を増してきており、遺骨（遺物）のカプセル化およびその保存は必要である。
【課題を解決するための手段】
【０００６】
本発明は、手元供養のための新しい方策をメモリアルプレートというかたちで、提供するものである。手元供養（てもとくよう）とは、故人の「骨」を供養の対象としたものである。 自宅供養（じたくくよう）とも言う。 一般的な葬送の方法である寺院への納骨の代わりに、或いは納骨を行ったうえにさらに、遺骨（遺灰）を自宅等で保管し、慰霊の場を身近に置いて故人を偲ぶという概念であり、本発明により、手元供養を具現化するものである。
【発明の効果】
【０００７】
天然石や金属のインゴット、陶器、ガラスなどで出来たプレートの中に火葬された遺骨または遺髪または爪、歯などを埋め込むことにより、そのプレートを毎日ながめて、亡くなったペットや人を偲び、その供養とするとともに、有機物である遺骨（遺灰）や遺髪または、爪、歯などを無機物の石や金属、陶器、ガラスなどに埋め込む事により、埋葬法にかかわる衛生面を解決し、墓地や、納骨堂、骨壷、仏壇、位牌などの役割を担うものである。
【図面の簡単な説明】
【０００８】
【図１】図１は本発明の実施形態に係る実施例を示した背面から見た外観図である。（実施例１）
【図２】図２は実施例１の正面に、碑文や写真が施工されている正面図である。
【図３】図３は実施例１の背面図である。
【図４】図４は実施例１の図３におけるＡ−Ａ線断面図である。
【図５】図５は実施例１の円筒形透明体の斜視図である。
【図６】図６は本発明の実施形態に係る実施例を示した斜視図である。（実施例２）
【図７】図７は本発明の実施形態に係る実施例を示した斜視図である。（実施例３）
【図８】図８は本発明の実施形態に係る実施例を示した斜視図である。（実施例４）
【図９】図９は本発明の実施形態に係る実施例を示した斜視図である。（実施例５）
【図１０】図１０は本発明の実施形態に係る実施例を示した斜視図である。（実施例６）
【発明を実施するための形態】
【０００９】
メモリアルプレート本体に穿孔を施工し、透明体に封じ込めた遺骨または遺髪または爪、歯などを埋め込むことにより実現した。また、その透明体をメモリアルプレート本体に埋設したのちは、蓋により隠蔽できるようになっている。
【実施例１】
【００１０】
図１は、本発明の１実施例の外観図であって、メモリアルプレート本体１０は自然石の方形の台形をしており、背面に円筒形の透明体１２を埋めこんであり、金属または樹脂製の蓋１４を設置している。
【実施例２】
【００１１】
図６は、本発明の１実施例の斜視図であって、メモリアルプレート本体１０は自然石の方形の台形をしており、底面に円筒形の透明体１２を埋めこんである。
【実施例３】
【００１２】
図７は、本発明の１実施例の斜視図であって、メモリアルプレート本体１０は自然石の方形の台形をしており、背面に方形の透明体１２を埋めこんである。
【実施例４】
【００１３】
図８は、本発明の１実施例の斜視図であって、メモリアルプレート本体１０は自然石の円形の台形をしており、底面に円筒形の透明体１２を埋めこんである。
【実施例５】
【００１４】
図９は、本発明の１実施例の斜視図であって、メモリアルプレート本体１０は自然石のハート形の台形をしており、底面に円筒形の透明体１２を埋めこんである。
【実施例６】
【００１５】
図１０は、本発明の１実施例の斜視図であって、メモリアルプレート本体１０は自然石の屋根形の台形をしており、底面に円筒形の透明体１２を埋めこんである。
【符号の説明】
【００１６】
１０    メモリアルプレート本体
１２    遺物を封入した透明体
１４    蓋
１６    施工された写真
１８    施工された碑文
２０    封入された、遺骨または遺髪または歯または爪
【図１】
2019094623.tif 000003
【図２】
2019094623.tif 000004
【図３】
2019094623.tif 000005
【図４】
2019094623.tif 000006
【図５】
2019094623.tif 000007
【図６】
2019094623.tif 000008
【図７】
2019094623.tif 000009
【図８】
2019094623.tif 000010
【図９】
2019094623.tif 000011
【図１０】
2019094623.tif 000012